(57)【特許請求の範囲】
【請求項１】
少なくとも１つの引出しまたは扉を備え、前面パネル（３）に、制御装置（２１，２５，２６）を用いて切り換えられる少なくとも１つの第１の照明手段（６）を有するハンドル要素（４）が設けられており、前記少なくとも１つの第１の照明手段（６）が、前記引出しまたは前記扉が閉じられている場合に、前記ハンドル要素（４）の領域内で外方に照らす、家具（１）において、
前記引出しの内部（５）または前記扉に隣接した内部が、前記引出しまたは前記扉の開位置にて、少なくとも１つの第２の照明手段（７）を用いて照らされ、
前記第１の照明手段（６）および前記第２の照明手段（７）が両方とも、前記ハンドル要素（４）に配置されており、
前記第２の照明手段（７）が、前記引出しまたは前記扉の内部に配置されていることを特徴とする、家具。
【請求項２】
前記内部（５）を照らすための前記第２の照明手段（７）が、前記引出しまたは前記扉が開いている間はスイッチを入れられることができ、閉じられている間は前記制御装置を用いてスイッチを切られることができることを特徴とする、請求項１に記載の家具。
【請求項３】
前記ハンドル要素（４）の外側にある前記第１の照明手段（６）が、前記開位置でスイッチを切られることを特徴とする、請求項１または２に記載の家具。
【請求項４】
前記第１の照明手段（６）および前記第２の照明手段（７）が、ＬＥＤストリップ（１３，１４）を備えることを特徴とする、請求項１〜３のいずれか一項に記載の家具。
【請求項５】
前記制御装置が、前記引出しまたは前記扉の閉位置を検出するためのリミットスイッチを有することを特徴とする、請求項１〜４のいずれか一項に記載の家具。
【請求項６】
エネルギ蓄積装置が前記第１の照明手段（６）および前記第２の照明手段（７）に電気的に電力を供給するために設けられていることを特徴とする、請求項１〜５のいずれか一項に記載の家具。
【請求項７】
前記制御装置がタイミング回路を備えており、前記タイミング回路を用いて、前記内部（５）を照らすための前記第２の照明手段（７）が、所定の期間後にスイッチを切られることを特徴とする、請求項１〜６のいずれか一項に記載の家具。
【請求項８】
前記制御装置が、前記引出しまたは前記扉の閉位置を検出するために、切り換えスイッチ、距離計、動作センサおよび／または容量性スイッチを有することを特徴とする、請求項１〜７のいずれか一項に記載の家具。
【請求項９】
前記扉が、回転可能なフラップ（３’）として構成され、前記第２の照明手段（７’）が前記フラップ（３’）の下の作業領域のうちの少なくとも一部分を照らすことを特徴とする、請求項１〜８のいずれか一項に記載の家具。
【請求項１０】
外方に向けられた前記第１の照明手段（６）が、異なる信号状態または表示の信号を送るために、制御装置を用いて切り換えられることができることを特徴とする、請求項１〜９のいずれか一項に記載の家具。
【請求項１１】
閉止状態に関する表示手段の情報として、および／または、周囲に関する情報のアイテムとして信号を送るべく、前記外方に向けられた第１の照明手段（６）が異なる色で照らすことができることを特徴とする、請求項１〜１０のいずれか一項に記載の家具。
【発明の詳細な説明】
【技術分野】
【０００１】
本発明は、少なくとも１つの引出しおよび／または扉を備え、その前面パネルに、制御装置を用いて切り換えられることのできる少なくとも１つの照明手段を有するハンドル要素が設けられており、この少なくとも１つの照明手段は、引出しまたは扉が閉じられている場合にハンドル要素の領域内で外方に照らしている、家具に関する。
【背景技術】
【０００２】
独国特許第２９９１４０８３号は、照明手段を備えたハンドルが引出しの前面パネルに設けられている家具を開示している。これによって、暗い環境においてでもハンドルが見えるようになる、すなわち、これによって取り扱いが簡単になり、さらに視覚的に魅力的な効果をもたらす。しかし、まさに暗い環境において、堆積した物品を含むインテリアは、引出しを開けた後、通常、見えにくくなる。
【０００３】
独国特許第１０２  ３６  ２１１号は、種々の前部および縁部が照明されるように構成されている台所器具を開示しており、これは、特に視覚的に魅力的な外観を与えることを目的とする。たとえばフラップまたは引出しなどの家具の部品の動きと連動した、使用される照明手段の意図的な切り換えは、独国特許第１０２３６２１１号には開示されていない。
【発明の開示】
【発明が解決しようとする課題】
【０００４】
したがって、本発明の目的は、引出しまたは扉が暗い光条件でさえ取り扱いが簡単な家具を提供することである。
【課題を解決するための手段】
【０００５】
この目的は、請求項１の特徴を有する家具によって達成される。
【０００６】
本発明によると、家具に設けられているのは、ハンドル要素の領域にある照明手段と、これを用いて引出しの内部または扉に隣接した内部が、引出しの開位置で少なくとも１つの照明手段によって照らされる少なくとも１つの照明手段との両方である。このことによって、ユーザが容易に引出しまたは家具に格納された物品をつかみ、引出しまたは扉を開けた後で内部をはっきりと見ることができるようになる。
【０００７】
好ましくは、内部を照らすための照明手段が、引出しまたは扉が開いている間はスイッチを入れることができ、閉じられている間はスイッチを切ることができる。このことによって、引出しが開いている場合にのみ内部が照らされなければならないので、必要とされるエネルギ量を最小限にまで低減することができるようになる。この場合、ハンドル要素の外側にある照明手段が開位置でスイッチを切られるような方法で、回路が任意選択的に制御されることができる。このことによって、開位置が簡単にはっきりと視認できるようになる。
【０００８】
本発明の好ましい一実施形態によると、第１の照明手段がハンドル要素に配置され、第２の照明手段が引出しの内部に配置されている。この場合、照明手段は両方ともハンドル要素に配置されることができ、第１の照明手段は外方を照らし、第２の照明手段は内部を照らすために設けられている。明らかに、内部を照らすための照明手段は、引出しの側壁に、または異なる位置に設けられてもよい。しかし、両方の照明手段がハンドル要素に近接して配置される場合には、配線は最適に簡略化されている。
【０００９】
低いエネルギ消費で引出しを良好に照らすために、照明手段は、ＬＥＤストリップを備えることができる。
【００１０】
好ましくは、制御装置は、それに応じて照明手段を切り換えることができるために、閉位置を検出するためのリミットスイッチを有する。照明手段は、家具に配置されているエネルギ蓄積装置を用いるか、ついで引出しにつながる配線を用いるかのどちらかで、電気的に電力を供給されることができ、滑り接触、ケーブルループ、または他の適当な手段を介して、電気的な電力の供給が行われることが可能である。
【００１１】
制御装置はまた、タイミング回路を備えていてもよく、これを用いて、内部を照らすための照明手段が、所定の期間後にスイッチを切られることができる。このことによって、特に、家具に設けられている照明手段を自由に制御することができるようになる。
【００１２】
好ましくは、外方に向けられた照明手段は、異なる信号状態または表示の信号を送るために、制御装置を用いて切り換えられることができる。特に、フラップまたは引出しの閉止状態に関する表示手段の情報として、および／または周囲に関する情報のアイテムとして信号を送るべく、照明手段は異なる色で照らすことができる。
【００１３】
本発明を、例示的実施形態に基づき、添付の図面を参照しつつ、以下により詳細に記載する。
【発明を実施するための最良の形態】
【００１４】
家具１は、家具本体２と複数の引出しとを備え、上下に配置されている複数の引出しは、家具本体２に移動可能に収容され、ハンドル要素４が固定されている前面パネル３を有する。引出しはハンドル要素４を引き出すことによって開口されることができるので、引出しの内部５が外側から接近できるようになる。本発明を、前面パネル３を有する引出しに基づいて概略的に記載することとするが、ここでは、引出しの代わりに、対応するハンドル要素４を有する回転可能な扉を提供することが当然ながら可能である。したがって、設けられている前面カバーは、フラップ、旋回扉、折たたみ戸、引き戸などの形であってもよい
【００１５】
照明ストリップ６が、ハンドル要素４の幅全体にわたって延びており、ハンドル要素４上で外側に向かって設けられている。制御装置（図示せず）を用いて切り換え可能であるさらなる照明ストリップ７がまた、ハンドル要素４上で内部５に向かう側に設けられている。この場合、開いている間、引出しが閉位置にあるかどうかを検出するために、引出しは、スイッチ、たとえばリミットスイッチを起動させることができる。引出しが閉位置から移動することになると、矢印８で象徴的に図示されているように、制御装置が引出しの内部５を照明手段７を用いて照らすことが可能になる。このことによって、引出しが開いた後、内部５が明らかに見えることになり、すなわちこのことは、特に、不十分な光条件での利点となる。
【００１６】
図４に示されているように、光ストリップ７もまた、ハンドル要素４の幅全体にわたり延びており、光ストリップ７はＬＥＤ照明から構成されるストリップを有しており、その結果、内部５の照明が保証される。光を導くためにレンズまたは拡散器が設けられることができるので、光ストリップ７がユーザの目をくらませることはない。
【００１７】
図５は、引出しの前面パネル３に固締されているハンドル要素の詳細図である。ハンドル要素４は、スロット１１を備えており、この底部には、透過性プラスチック材料の輪郭１５に光を放射するＬＥＤストリップ１３が配置されている。プラスチック材料要素１５は、係止手段１２を使用してスロット１１に係止されることのできる溝１０を有する。ＬＥＤストリップ１３からの光は、プラスチック材料要素１５を通って分配され、このプラスチック材料要素は、不十分な光条件下であっても、外側から明確に見ることができる。
【００１８】
反対側には、ハンドル要素４は、さらなるＬＥＤストリップ１４が取り付けられているストリップ状の穴１６を有する。このＬＥＤストリップ１４は、光を導くための透明カバーを備えていてもよい。
【００１９】
光ストリップ６および７は、上に接合された金属箔に滑り接触することによって、ケーブルループ、あるいは、引出し３または家具本体２に取り付けられているエネルギ蓄積装置によって、電力を供給されることができる。
【００２０】
図示されている例示的実施形態では、ハンドル要素４が反対方向に放射する照明手段６および照明手段７を両側に有するような方法で、ハンドル要素４が前面パネル３に配置されている。たとえば象徴的に部品または他の要素を示す参照機能を有することもできる他のハンドル形状を、引出しに配置することもまた、当然ながら可能である。引出しの内領域において、内部５を照らすために、光ストリップ７がハンドル要素４から離間して配置されることもできる。たとえば、対応する光ストリップは、引出しの対向する側壁に設けられることができる。
【００２１】
制御装置はまた、タイマスイッチを有することができるので、光ストリップ６または７は、所定の期間後にスイッチを入れたり切ったりすることができる。さらに、点滅によって、または、異なる色のＬＥＤを用いて、特定の照明効果が達成されることができる。
【００２２】
引出しが閉位置にある場合、単に前面パネル３の外側にある照明手段６だけが点灯する。引出しが開けられると、照明手段７がスイッチを入れられるので、引出しの内部５が照らされる。引出しが閉じられると、位置がリミットスイッチを用いて検出されることができ、照明手段７がそれに応じて再びスイッチを切られる。
【００２３】
図６は、家具１のための制御装置２１の回路図である。照明手段６および７のための制御装置２１は、スイッチ２０、または、レーザまたは赤外線に基づく距離計を備え、これによって、一方の照明手段６、７が消えて、前面パネル３が移動する間に他方の照明手段６、７が作動し始める。この場合、スイッチ２０は、前面パネルの移動によって自動的に、あるいは手動で、切り換えられることが可能である。
【００２４】
図７は、照明手段６および７を作動させるための制御装置２１が前面パネル３に設けられている回路図である。引出しが閉じられると、外方に向けられた照明手段６および蓄積要素（たとえば充電式バッテリまたは非充電式バッテリ）が、回線を用いて電力を供給される。引出しが開口する間、接触２３および２４が隔離され、蓄積要素（充電式バッテリまたは非充電式バッテリ）によって内側光７だけがなお、電力を供給される。この場合、接触２３および２４は、滑り接触またはソケットを備えたプラグとして構成されることができる。
【００２５】
図８は、照明手段６および７のための制御装置２５を備えた回路図であり、制御装置２５は動作センサを備えているので、引出しの作動時には、制御装置２５が照明手段６、７を意図的にオン／オフに切り換える。
【００２６】
図９は、制御装置２６を備えた回路図を提供しており、ハンドル要素の作動／接触で、内側の照明手段７が作動し始め、外側の照明手段６が消えるような方法で、たとえばハンドル要素のセンサなど前面パネル３の外側にあるスイッチ２７が設計されている。
【００２７】
上述の例に示されている制御装置２１、２５、２６は、光がオン／オフに調光され、照明手段７が定められた時間後に内側でスイッチを切られるような方法で、設計することができる。さらに、制御装置２１、２５、２６は、必要に応じて、引出しの閉位置を検出するために、切り換えスイッチ、距離計、動作センサおよび／または容量性スイッチを有することができる。
【００２８】
図１０は、本発明のさらなる一実施形態を示しており、ここでは、水平軸を中心として旋回可能なフラップ３’が家具１’としてのキッチンユニットに配置されている。フラップ３’は、ＬＥＤストリップ、バックグラウンドの照射またはその他として構成されることのできる照明手段６’が外方を照らしている、突出するハンドルストリップ４’を有する。フラップ３’が開くと、内部５’およびその下の作業台３０に設置されている作業領域を照らす照明手段７’もまた、設けられている。
【００２９】
使用される照明手段は、照明手段の構成が異なっていてもよく、前面パネルの縁部全体を検出する必要はないので、設計者には創造的自由の余地があり得る。
【００３０】
本発明によるハンドル要素は、さらなる接合部のないパネルおよび家具の要素のために使用されることができるだけではなく、冷蔵庫、食器洗い機、ビルトインオーブンなどのためにも使用されることができる。これらもまた、応用分野という意味において、「家具」としてみなされるべきである、というのは、これらは器具としてのその機能に加えて、通常、厨房用家具に一体化されているものであるからである。このタイプの前部の主要な部分または前部の頂部は、たいてい、いかなるスイッチ要素または信号要素をも有していない。
【００３１】
さらに、照明手段が異なる色の信号状態を外方に表示することが可能である。その結果、信号状態が、ユーザへのメッセージとして情報線を用いて視認できるようになる。したがって、たとえば、赤色は、ボルト締めにされた引出しまたは扉のために使用されることができ、黄色は、たとえば「フラップまたは冷蔵庫の扉が開いている」など警報メッセージとして使用されることができ、緑色は「食器洗い機が完了した」としてなど、使用することができる。
【００３２】
さらに、照明手段は、特に、建築物の閉止システム、家具、冷蔵庫などにおいて、接近許可を表示するために使用されることができ、赤＝ロック、緑＝許可、などが認可されていないユーザまたは認可されているユーザ用に使用されることができる。
【００３３】
さらに、照明手段は、地震のリスクがある領域における地震制限のために、ハンドル要素に状態の表示を出すのに使用されることができる。地震制限の場合に、閉止システムは、フラップ、引出し、または冷蔵庫など装置を自動的にボルト締めにすることができ、そして、ハンドル表示にカラー「赤」を点灯することができる。
【図面の簡単な説明】
【００３４】
【図１】本発明による家具の例示的実施形態の斜視図である。
【図２】開いている引出しを備えた家具の詳細な斜視図である。
【図３】図１による家具のハンドル要素の斜視図である。
【図４】図１による家具のハンドル要素の斜視図である。
【図５】図１による家具のハンドル要素の詳細図である。
【図６】家具のための制御装置に関する種々のブロック図である。
【図７】家具のための制御装置に関する種々のブロック図である。
【図８】家具のための制御装置に関する種々のブロック図である。
【図９】家具のための制御装置に関する種々のブロック図である。
【図１０】さらなる例示的実施形態の斜視図である。
【図１】
0005481733.tif 000002
【図２】
0005481733.tif 000003
【図３】
0005481733.tif 000004
【図４】
0005481733.tif 000005
【図５】
0005481733.tif 000006
【図６】
0005481733.tif 000007
【図７】
0005481733.tif 000008
【図８】
0005481733.tif 000009
【図９】
0005481733.tif 000010
【図１０】
0005481733.tif 000011